(57)【要約】【課題】  安全かつ迅速に画像処理装置の設定情報を配布・記憶可能にする仕組みを提供する。【解決手段】  通信手段と設定情報を受信する手段と、ユーザ操作判定手段と、設定情報の一時記憶手段と、設定情報記憶手段とを設け、ユーザが操作中は設定情報を一次記憶手段に記憶し、操作が完了、あるいは操作中であっても設定情報を更新できるタイミングを判定し設定情報を適切に更新する画像処理装置及び画像処理装置の設定情報記憶方法。【選択図】        図３
2006129166.tif 000002
【特許請求の範囲】
【請求項１】
通信手段を有する画像処理装置において、画像処理装置内部の設定情報を送信する設定情報送信手段と、前記設定情報を受信する設定情報受信手段と、ユーザが画像処理装置を操作するための操作手段と、前記操作手段をユーザがどのような操作をしているかを判定するユーザ操作判定手段と、前記設定情報を一時記憶領域に記憶する一時記憶手段と、前記設定情報の記憶を行なう設定情報記憶手段とを有し、前記設定情報受信手段で設定情報を受信した後、前記ユーザ操作判定手段において、画像処理装置をユーザが操作していない状態か、あるいはユーザが操作中であっても前記設定情報を記憶しても問題が無いタイミングかを判定し、前記設定情報の記憶ができない状態であると判定された場合は前記一時記憶手段に記憶し、前記設定情報の記憶が可能であると判定された場合、あるいは前記一時記憶手段に記憶後に改めて前記設定情報の記憶が可能であると判定された場合は、前記設定情報記憶手段により設定情報を記憶することを特徴とする画像処理装置。
【請求項２】
前記ユーザ操作判定手段は、ユーザが操作していない状態の判定方法として、設定内容を初期状態に戻すオート・クリア・イベントを検知以降、前記操作手段から操作が行なわれていないことにより判定することを特徴とする請求項１に記載の画像処理装置。
【請求項３】
前記ユーザ操作判定手段は、設定情報の記憶が可能であると判定するタイミングとして、設定内容を初期状態に戻すオート・クリア・イベント、または省電力モードに遷移するオート・スリープ・イベントにより判定することを特徴とする請求項１に記載の画像処理装置。
【請求項４】
前記ユーザ操作判定手段は、ユーザが操作中であっても前記設定情報を記憶が可能であると判定するタイミングとして、ユーザが自分の設定した内容をクリアするリセットキーの押下、またはソフトウェア電源キーの押下により判定することを特徴とする請求項１に記載の画像処理装置。
【請求項５】
前記ユーザ操作判定手段は、ユーザが操作中であっても前記設定情報を記憶が可能であると判定後、前記設定情報の記憶を実行してよいか確認する画面を表示し、その画面において実行が指示されたことにより判定することを特徴とする請求項４に記載の画像処理装置。
【請求項６】
画像処理装置を操作する際にユーザの認証を行なうユーザ認証手段を設け、前記ユーザ操作判定手段は、ユーザが操作中であっても前記設定情報を記憶が可能であると判定するタイミングとして、ユーザのログアウトにより判定することを特徴とする請求項１に記載の画像処理装置。
【請求項７】
前記設定情報受信手段で設定情報を受信した際、送信元の画像処理装置を特定する情報を記憶する送信元情報記憶手段と、前記設定情報受信手段で設定情報を受信した設定情報を、前記一時記憶手段に記憶したこと、あるいは、前記設定情報記憶手段により設定情報を記憶したことを通知する通知手段をさらに有し、前記設定情報受信手段で設定情報を受信した設定情報を前記送信元情報記憶手段で示される送信元に通知することを特徴とする請求項１に記載の画像処理装置。
【請求項８】
前記設定情報受信手段により受信した前記設定情報の処理状況を履歴として保持する履歴保持手段と、前記履歴保持手段に保持された履歴を前記操作手段に表示する履歴表示手段と、前記通信手段を介して履歴を送信する履歴送信手段とをさらに有し、前記通信手段から所定の要求があった際に要求元に対して履歴を送信することを特徴とする請求項１に記載の画像処理装置。
【請求項９】
前記操作手段にメッセージを表示するメッセージ表示手段をさらに有し、前記設定情報の記憶中は前記メッセージ表示手段によりメッセージの表示を行なうことにより、ユーザによる操作が行なえないようにすることを特徴とする請求項１に記載の画像処理装置。
【請求項１０】
請求項２乃至請求項９のいずれか複数の特徴を同時に持つことを特徴とする画像処理装置。
【請求項１１】
通信手段を有する画像処理装置において、画像処理装置内部の設定情報を送信する設定情報送信手段と、前記設定情報を受信する設定情報受信手段と、ユーザが画像処理装置を操作するための操作手段と、前記操作手段をユーザがどのような操作をしているかを判定するユーザ操作判定手段と、前記設定情報を一時記憶領域に記憶する一時記憶手段と、前記設定情報の記憶を行なう設定情報記憶手段とを有し、前記設定情報受信手段で設定情報を受信した後、前記ユーザ操作判定手段において、画像処理装置をユーザが操作していない状態か、あるいはユーザが操作中であっても前記設定情報を記憶しても問題が無いタイミングかを判定し、前記設定情報の記憶ができない状態であると判定された場合は前記一時記憶手段に記憶し、前記設定情報の記憶が可能であると判定された場合、あるいは前記一時記憶手段に記憶後に改めて前記設定情報の記憶が可能であると判定された場合は、前記設定情報記憶手段により設定情報を記憶することを特徴とする画像処理装置の設定情報記憶方法。
【請求項１２】
前記設定情報受信手段で設定情報を受信した際、送信元の画像処理装置を特定する情報を記憶する送信元情報記憶手段と、前記設定情報受信手段で設定情報を受信した設定情報を、前記一時記憶手段に記憶したこと、あるいは、前記設定情報記憶手段により設定情報を記憶したことを通知する通知手段をさらに有し、前記設定情報受信手段で設定情報を受信した設定情報を前記送信元情報記憶手段で示される送信元に通知することを特徴とする請求項１１に記載の画像処理装置の設定情報記憶方法。
【請求項１３】
前記設定情報受信手段により受信した前記設定情報の処理状況を履歴として保持する履歴保持手段と、前記履歴保持手段に保持された履歴を前記操作手段に表示する履歴表示手段と、前記通信手段を介して履歴を送信する履歴送信手段とをさらに有し、前記通信手段から所定の要求があった際に要求元に対して履歴を送信することを特徴とする請求項１１に記載の画像処理装置の設定情報記憶方法。
【請求項１４】
請求項１２及び請求項１３に記載の特徴を同時に持つことを特徴とする画像処理装置の設定情報記憶方法。
【発明の詳細な説明】
【技術分野】
【０００１】
本発明は、通信手段により相互に接続された複数の画像処理装置により構成され、特定の画像処理装置の設定情報と他の画像処理装置の設定情報を同期させる設定情報共有システムにおいて、設定情報を受信した画像処理装置が設定情報を適切なタイミングで記憶する画像処理装置、および画像処理装置の設定情報記憶方法に関するものである。
【背景技術】
【０００２】
従来から、画像処理装置の設定情報を複数の画像処理装置にわたって配布・記憶するための手段として、大別するとプッシュ型とプル型が存在している。このうちプッシュ型の実施形態としては、ある画像処理装置の設定情報をＷＷＷブラウザなどによりコンピュータにダウンロードしたものか、もしくはコンピュータ上で作成された設定情報を、目的とする画像処理装置それぞれにアップロードするといった手段が用いられていた。
【０００３】
また、近年では、コンピュータを利用せずに画像処理装置同士が直接設定情報を送受信することにより設定情報を配布・記憶するといった手段が、画像処理装置以外のコンピュータを必要としない利便性から次第に用いられつつある。
【０００４】
その際、受信側の画像処理装置でユーザが操作中に設定情報の記憶を行い、ユーザが意図していない動作を行なうことを防ぐために、記録開始前に操作を禁止する画面を表示しているものがある。
【０００５】
また、省電力状態に遷移する際に設定情報を不揮発性メモリに記憶させ、復帰時に読み出すものがある（例えば、特許文献１参照）。
【特許文献１】特開２００４−０７４６２１号公報
【発明の開示】
【発明が解決しようとする課題】
【０００６】
しかしながら、プッシュ型の実施形態では設定情報受信時の画像処理装置の状態に応じて問題が発生することが懸念されていた。一例としては、ユーザがファクス送信を行なうために画像処理装置に設定されている相手先ファクス番号をワンタッチやアドレス帳より選択し、ジョブを実行した後に設定情報を受信・記憶した場合において、ユーザが選択した相手先ファクス番号が変更されていた場合には異なるファクス番号に発信してしまうことが想定される。別例としては、画像処理装置がＩＤとパスワードによりカウント管理されていた場合において、実行中ＩＤとパスワードが消去または変更されていた場合にはジョブの異常動作やカウンタ情報が誤ってカウントされてしまうといったことも想定される。
【０００７】
特に、システム管理者が設定情報を毎日定時に自動配布・記憶するように設定した場合、ユーザが介在しない状態で設定情報の書き換えが頻繁に行われるようになり、ユーザが意図しない書き換えが発生する可能性がより高まっている。具体的には、記録開始前に操作を禁止する画面を表示するだけでは、ユーザの操作途中にも割り込んでしまい、ユーザがそれまで行なっていた設定情報がクリアされてしまうなどの問題があった。
【０００８】
また、省電力状態への遷移時に処理する場合は、省電力状態に遷移しない限り設定情報の記憶が行なわれないという問題があった。特に省電力状態への遷移はユーザの設定などにより遷移しないように構成されるケースもあり、その場合は設定情報の共有機能そのものが動作できないという問題のあった。
【０００９】
さらに、システム全体を管理する管理者にとって、システム内の画像処理装置の設定が短時間で共有できなければ、画像処理装置間の設定不整合による動作不具合などが発生し、システムサポートなどの管理コストが増大するという問題もあった。加えて、システムを使用するユーザが不在となる深夜などに作業を行なおうとする場合、システム内のすべての画像処理装置の電源がＯｎになっているか確認し、Ｏｆｆの場合は再投入してまわる必要があるなど、管理者自身の作業も非効率的であった。
【００１０】
このような背景から、本発明は、安全かつ迅速に画像処理装置の設定情報を配布・記憶可能にする画像処理装置及び画像処理装置の設定情報記憶方法を提供することを目的とする。
【課題を解決するための手段】
【００１１】
前記課題を解決するための手段として、請求項１の発明の画像処理装置は、通信手段を有する画像処理装置において、画像処理装置内部の設定情報を送信する設定情報送信手段と、前記設定情報を受信する設定情報受信手段と、ユーザが画像処理装置を操作するための操作手段と、前記操作手段をユーザがどのような操作をしているかを判定するユーザ操作判定手段と、前記設定情報を一時記憶領域に記憶する一時記憶手段と、前記設定情報の記憶を行なう設定情報記憶手段とを有し、前記設定情報受信手段で設定情報を受信した後、前記ユーザ操作判定手段において、画像処理装置をユーザが操作していない状態か、あるいはユーザが操作中であっても前記設定情報を記憶しても問題が無いタイミングかを判定し、前記設定情報の記憶ができない状態であると判定された場合は前記一時記憶手段に記憶し、前記設定情報の記憶が可能であると判定された場合、あるいは前記一時記憶手段に記憶後に改めて前記設定情報の記憶が可能であると判定された場合は、前記設定情報記憶手段により設定情報を記憶することを特徴とする。
【００１２】
さらに、請求項２の発明の画像処理装置は、請求項１の発明に加えて、前記ユーザ操作判定手段は、ユーザが操作していない状態の判定方法として、設定内容を初期状態に戻すオート・クリア・イベントを検知以降、前記操作手段から操作が行なわれていないことにより判定することを特徴とする。
【００１３】
さらに、請求項３の発明の画像処理装置は、請求項１の発明に加えて、前記ユーザ操作判定手段は、設定情報の記憶が可能であると判定するタイミングとして、設定内容を初期状態に戻すオート・クリア・イベント、または省電力モードに遷移するオート・スリープ・イベントにより判定することを特徴とする。
【００１４】
さらに、請求項４の発明の画像処理装置は、請求項１の発明に加えて、前記ユーザ操作判定手段は、ユーザが操作中であっても前記設定情報を記憶が可能であると判定するタイミングとして、ユーザが自分の設定した内容をクリアするリセットキーの押下、またはソフトウェア電源キーの押下により判定することを特徴とする。
【００１５】
さらに、請求項５の発明の画像処理装置は、請求項４の発明に加え、前記ユーザ操作判定手段は、ユーザが操作中であっても前記設定情報を記憶が可能であると判定後、前記設定情報の記憶を実行してよいか確認する画面を表示し、その画面において実行が指示されたことにより判定することを特徴とする。
【００１６】
さらに、請求項６の発明の画像処理装置は、請求項１の発明に加えて、画像処理装置を操作する際にユーザの認証を行なうユーザ認証手段を設け、前記ユーザ操作判定手段は、ユーザが操作中であっても前記設定情報を記憶が可能であると判定するタイミングとして、ユーザのログアウトにより判定することを特徴とする。
【００１７】
さらに、請求項７の発明の画像処理装置は、請求項１の発明に加えて、前記設定情報受信手段で設定情報を受信した際、送信元の画像処理装置を特定する情報を記憶する送信元情報記憶手段と、前記設定情報受信手段で設定情報を受信した設定情報を、前記一時記憶手段に記憶したこと、あるいは、前記設定情報記憶手段により設定情報を記憶したことを通知する通知手段をさらに有し、前記設定情報受信手段で設定情報を受信した設定情報を前記送信元情報記憶手段で示される送信元に通知することを特徴とする。
【００１８】
さらに、請求項８の発明の画像処理装置は、請求項１の発明に加えて、前記設定情報受信手段により受信した前記設定情報の処理状況を履歴として保持する履歴保持手段と、前記履歴保持手段に保持された履歴を前記操作手段に表示する履歴表示手段と、前記通信手段を介して履歴を送信する履歴送信手段とをさらに有し、前記通信手段から所定の要求があった際に要求元に対して履歴を送信することを特徴とする。
【００１９】
さらに、請求項９の発明の画像処理装置は、請求項１の発明に加えて、前記操作手段にメッセージを表示するメッセージ表示手段をさらに有し、前記設定情報の記憶中は前記メッセージ表示手段によりメッセージの表示を行なうことにより、ユーザによる操作が行なえないようにすることを特徴とする。
【００２０】
さらに、請求項１０の発明の画像処理装置は、請求項２乃至請求項９のいずれか複数の特徴を同時に持つことを特徴とする。
【発明の効果】
【００２１】
本発明の第１の請求項によれば、ユーザが画像処理装置の操作中であっても、適切なタイミングで設定情報の更新が行なえるようになり、設定情報の共有が迅速に行なえるようになる。
【００２２】
本発明の第２の請求項によれば、ユーザが操作していない状態を適切に検出できるようになる。
【００２３】
本発明の第３の請求項によれば、ユーザが操作が完了したことを適切に検出できるようになる。
【００２４】
本発明の第４の請求項によれば、ユーザの操作中であっても設定情報の更新が可能なタイミングが明確になる。
【００２５】
本発明の第５の請求項によれば、ユーザが操作中であっても前記設定情報を記憶が可能であると判定後、ユーザに設定情報記憶のタイミングの確認を行なうことにより、ユーザの都合にあわせた処理が可能になる。
【００２６】
本発明の第６の請求項によれば、ユーザ認証を行なうような画像形成装置においても、設定情報の更新が適切、且つ迅速に行なえるようになる。
【００２７】
本発明の第７の請求項によれば、設定情報の更新結果を送信元に送ることにより、送信元において共有状況が識別できるようになり、システム全体の管理作業効率を上げることができる。
【００２８】
本発明の第８の請求項によれば、設定情報の処理状況を履歴に残すことにより、画像形成装置の設定情報の更新状況をより確実に知ることができるようになり、システム全体の管理作業効率をさらにあげることができる。
【００２９】
本発明の第９の請求項によれば、前記設定情報の記憶中は前記メッセージ表示手段によりメッセージの表示を行なうことにより、ユーザによる操作が行なえないようにすることにより、ユーザの設定情報を不意に書き換えることが防止できる。
【００３０】
本発明の第１０の請求項によれば、上記の効果を複合して得られることにより、ユーザが画像処理装置を操作中であっても、適切なタイミングで設定情報を書き換えられるため、設定情報の共有がより迅速に行なえるようになる。したがって、システム内に存在する複数の画像処理装置の設定を短時間でそろえることが可能となる。その結果、システムを管理する管理者にとっては、設定不整合によるシステムの問題を回避しやすくなり、かつ通常業務時間内での作業が可能になるため、管理コストの低減にもつながる。
【発明を実施するための最良の形態】
【００３１】
以下本発明を実施するための最良の形態を、実施例により詳しく説明する。
【実施例１】
【００３２】
以下に実施例１を示す。
【００３３】
図１は、実施例１における、画像処理装置が利用される一般的なシステム構成図である。
【００３４】
複写機１００１、複写機１００２は原稿を読み取り、さまざまな装置に送信する装置である。ファクシミリ１００３は複写機１００１の複写機が読み取ったデータを公衆回線１００９を介して受信しプリントするファクシミリ装置である。データベース／メールサーバ１００４は複写機１００１、複写機１００２が読み取ったデータを格納するアプリケーションサーバが動作しているコンピュータである。クライアントコンピュータ１００５はデータベースサーバ／メールサーバ１００４に接続し、格納されているデータをダウンロードして表示するコンピュータである。プリンタ１００６は複写機１００１、複写機１００２が読み取ったイメージデータやクライアントコンピュータ１００５が生成するＰＤＬデータを印刷する印刷装置である。ディレクトリサーバ１００７は名前や電子メールアドレスやファクス番号などの様々なディレクトリ情報が格納されており、複写機１００１、複写機１００２やクライアントコンピュータ１００５はＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）などのプロトコルにより、これらのディレクトリ情報にアクセスすることが可能である。イーサネット（登録商標）１００８は、複写機１００１、複写機１００２、データベース／メールサーバ１００４，クライアントコンピュータ１００５、プリンタ１００６，ディレクトリサーバ１００７が接続されるネットワークである。
【００３５】
本実施例では、イーサネット（登録商標）１００８を利用し、クライアントコンピュータ１００５を介さずに複写機１００１から複写機１００２へ設定情報を直接アップロードしているが、クライアントコンピュータ１００５から複写機１００１へアクセスすることにより設定情報をダウンロードし、その後にクライアントコンピュータ１００５から複写機１００２に対してアップロードを行なうな構成であっても構わない。このときの接続媒体については双方向通信可能なものであればいずれでも構わず、その接続媒体上において複写機１００１、複写機１００２、クライアントコンピュータ１００５の相互間においてデータ送受信に使用されるプロトコルもＨＴＴＰ（Ｈｙｐｅｒ  Ｔｅｘｔ  Ｔｒａｎｓｆｅｒ  Ｐｒｏｔｏｃｏｌ）、ＳＯＡＰ（Ｓｉｍｐｌｅ  Ｏｂｊｅｃｔ  Ａｃｃｅｓｓ  Ｐｒｏｔｏｃｏｌ）、ＦＴＰ（Ｆｉｌｅ  Ｔｒａｎｓｆｅｒ  Ｐｒｏｔｏｃｏｌ）など既存のプロトコルのいずれでも構わず、まったく独自のアプリケーションプロトコルであっても構わない。
【００３６】
図２は、実施例１における、システムブロック図であり、複写機１００１、複合機１００２に実装される。
【００３７】
Ｃｏｎｔｒｏｌｌｅｒ  Ｕｎｉｔ  ２０００は画像入力デバイスであるＳｃａｎｎｅｒ２０７０や画像出力デバイスであるＰｒｉｎｔｅｒ２０９５と接続し、一方ではＬＡＮ２０１１や公衆回線（ＷＡＮ）２０５１と接続することで、画像情報やデバイス情報の入出力を行なう為のコントローラである。ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６はタッチパネルを有した操作部（ＵＩ）２０１２とのインターフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ  Ｉ／Ｆ２０１０はＬＡＮ２０１１に接続し、情報の入出力を行なう。Ｍｏｄｅｍ２０５０は公衆回線２０５１に接続し、情報の入出力を行なう。以上のデバイスがシステムバス２００７上に配置される。Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行なう。スキャナ画像処理部２０８０は、入力画像データに対し補正、加工、編集を行なう。プリンタ画像処理部２０９０は、プリント出力画像データに対して、プリンタの補正、解像度変換等を行なう。画像回転部２０３０は画像データの回転を行なう。画像圧縮部２０４０は、多値画像データはＪＰＥＧ、２値画像データはＪＢＩＧ、ＭＭＲ、ＭＨの圧縮伸張処理を行なう。ＩＣ  Ｃａｒｄ  Ｓｌｏｔ２１００はＩＣカードメディアを挿入した後に適切なＰＩＮ（Ｐｅｒｓｏｎａｌ  Ｉｄｅｎｔｉｆｉｅｒ  Ｎｕｍｂｅｒ）コードを入力することにより、暗号・復号に用いる鍵の入出力を行なうことが可能となる。暗号・復号処理部２１１０はＩＣ  Ｃａｒｄ  Ｓｌｏｔ２１００の鍵を用いてデータの暗号化・複合化処理を行なうハードウェアアクセラレータボードである。
【００３８】
図３は、本実施例１におけるソフトウエアブロック図であり、複写機１００１、複写機１００２に実装される。
【００３９】
ソフトウエアブロック３０００は、システムソフトウェアに含まれＣＰＵ２００１によって実行されるソフトウエアモジュール郡である。通信手段３００１は、Ｎｅｔｗｏｒｋ  Ｉ／Ｆ  ２０１０を介して複写機１００１、あるいは複写機１００２と通信する通信モジュールであり、本実施例では配信される設定情報の受信を行なうモジュールである。ユーザ操作判定手段３００２は、操作部Ｉ／Ｆ２００６を介して操作部２０１２より操作される情報、および図外のさまざまなソフトウエアモジュールからのイベントなどを処理するモジュールである。設定情報記憶手段３００３は、通信手段３００１で受信した設定情報を、ＲＡＭ２００２、あるいはＨＤＤ２００４に記憶するためのモジュールである。
【００４０】
図４は、本実施例１のユーザ操作判定手段が、ユーザが操作していない状態を判定する際のフローチャートＳ４０００である。Ｓ４０００は図外のソフトウエアモジュールから通知されたイベントを受信することにより実行される。Ｓ４００１は通知されたイベントがオート・クリア・イベントであるかを判定するステップであり、オート・クリア・イベントであればＳ４００２に進み、そうでなければＳ４００３に進む。Ｓ４００２はユーザが未操作状態であることを示すフラグに１を設定するステップであり、データ設定後本フローチャートの処理を終了する。Ｓ４００３は操作部２０１２において何らかの操作が行なわれたかを判定するステップであり、操作が行なわれた場合は、Ｓ４００４に進み、そうでなければ本フローチャートの処理を終了する。Ｓ４００４はＳ４００２で説明したフラグに０を設定するステップであり、データ設定後本フローチャートの処理を終了する。
【００４１】
図５は、本実施例１の設定情報受信時のフローチャートＳ５０００である。通信手段３００１がＮｅｔｗｏｒｋ  Ｉ／Ｆ  ２０１０から設定情報を受信したことに伴い実行される。Ｓ５００１は、データを受信するステップである。Ｓ５００２は、Ｓ５００１で受信した設定情報をＲＡＭ２００２、あるいはＨＤＤ２００４の所定の領域に一時的に格納する一次記憶ステップである。Ｓ５００３は、Ｓ４００２あるいはＳ４００４で設定されるユーザ操作が未操作状態にあるかを判定するフラグの値を判定するステップである。このフラグが１の場合、すなわちユーザの操作が行われていない状態であると判定された場合Ｓ５００４に進み、そうでなければ本フローチャートの処理を終了する。Ｓ５００４は、設定情報記憶手段３００３において、受信した設定情報を所定の記憶領域に記憶するステップであり、本処理終了後本フローチャートの処理を完了する。
【００４２】
図６は、本実施例１のユーザ操作判定手段が、ユーザが操作中であっても設定情報の記憶が可能であると判定し、設定情報の記憶を行なうフローチャートＳ６０００である。Ｓ６０００は図外のソフトウエアモジュールから通知されたイベントを受信することにより実行される。Ｓ６００１は、通知されたイベントが、操作部２０１２上のリセットキー、ソフトウェア電源キー、あるいは認証処理でログインしている状態から抜ける際のＩＤキーの押下であるかを判定するステップである。本ステップにより前記のキー入力であると判定された場合Ｓ６００２に進み、そうでなければＳ６００４に進む。Ｓ６００２は、ＲＡＭ２００２あるいはＨＤＤ２００４の所定の領域に、Ｓ５００２で格納された設定情報が存在するかを判定するステップであり、存在する場合はＳ６００３に進み、そうでない場合は本フローチャートの処理を終了する。Ｓ６００３は、Ｓ５００４と同じ処理を行い、その後本フローチャートの処理を完了する。Ｓ６００４は、通知されたイベントが一定時間ユーザの操作が行われなかったことを示す、オート・クリア・イベントか、省電力モードに移行するオート・スリープ・イベントか、あるいはオート・ログアウトかを判定するステップであり、前記イベントであると判定された場合はＳ６００２に進み、そうでなければ本フローチャートの処理を完了する。
【００４３】
なお、本実施例において、認証処理のログアウトの検知をＩＤキーとしているが、認証方式がＩＣカードや生体認証であってもよく、特にＩＤキー方式に限定するものではない。
【００４４】
図７は、本実施例１の設定情報記憶手段３００３において、設定情報の記憶処理Ｓ５００４あるいはＳ６００３を実行する際に操作部２０１２上に表示される画面を示したものである。本実施例１では、テキスト表示のみであるが、処理の進行状況に応じて％表示やプログレスバーによる表示などを行っても良い。
【実施例２】
【００４５】
以下に実施例２を示す。
【００４６】
実施例２の基本的なシステム構成図、基本的なシステムブロック図、ソフトウエアブロック図およびユーザ操作判定手段の処理は、実施例１の図１、図２、図３および図４と同様であるので詳細は省略する。
【００４７】
図８は、本実施例２の設定情報受信時のフローチャートＳ８０００である。通信手段３００１がＮｅｔｗｏｒｋ  Ｉ／Ｆ  ２０１０から設定情報を受信したことに伴い実行される。Ｓ８００１は、データを受信するステップである。Ｓ８００２は、Ｓ８００１で受信した設定情報をＲＡＭ２００２、あるいはＨＤＤ２００４の所定の領域に一時的に格納する一次記憶ステップである。Ｓ８００３は、Ｓ４００２あるいはＳ４００４で設定されるユーザ操作が未操作状態にあるかを判定するフラグの値を判定するステップである。このフラグが１の場合、すなわちユーザの操作が行われていない状態であると判定された場合Ｓ８００４に進み、そうでなければＳ８０１０に進む。Ｓ８００４は、設定情報記憶手段３００３において、受信した設定情報を所定の記憶領域に記憶するステップであり、Ｓ５００４と同じ処理を行なう。Ｓ８００５は、Ｓ８００４の処理が正常に終了したかを判定するステップであり、正常に終了した場合はＳ８００６に進み、そうでなければＳ８００８に進む。Ｓ８００６は、設定情報の記憶が正常に完了したことを履歴に残すステップであり、ＲＡＭ２００２あるいはＨＤＤ２００４の所定の領域に履歴データを格納する。Ｓ８００７は、設定情報の記憶が正常に完了したことを送信元の複写機に通知するステップである。通知先のデータは、設定情報に含まれていてもよいし、設定情報に付随するデータとして受信してもよいし、予め通知先が登録されていてもよく、特に制限するものではない。本処理終了後本フローチャートの処理を完了する。Ｓ８００８は、設定情報の記憶が正常に完了しなかったことを履歴に残すステップであり、Ｓ８００６と同様にＲＡＭ２００２あるいはＨＤＤ２００４の所定の領域に履歴データを格納する。Ｓ８００９は、Ｓ８００７と同様に設定情報の記憶が正常に完了しなかったことを送信元の複写機に通知するステップである。本処理終了後本フローチャートの処理を完了する。Ｓ８０１０は、設定情報の記憶が一次記憶領域に格納されたことを履歴に残すステップであり、Ｓ８００６と同様にＲＡＭ２００２あるいはＨＤＤ２００４の所定の領域に履歴データを格納する。Ｓ８０１１は、Ｓ８００７と同様に設定情報の記憶が一次記憶領域に格納されたことを送信元の複写機に通知するステップである。本処理終了後本フローチャートの処理を完了する。
【００４８】
図９は、本実施例２のユーザ操作判定手段が、ユーザが操作中であっても設定情報の記憶が可能であると判定し、設定情報の記憶を行なうフローチャートＳ９０００である。Ｓ９０００は図外のソフトウエアモジュールから通知されたイベントを受信することにより実行される。Ｓ９００１は、通知されたイベントが、操作部２０１２上のリセットキー、ソフトウェア電源キー、あるいは認証処理でログインしている状態から抜ける際のＩＤキーの押下であるかを判定するステップである。本ステップにより前記のキー入力であると判定された場合Ｓ９００２に進み、そうでなければＳ９００９に進む。Ｓ９００２は、ＲＡＭ２００２あるいはＨＤＤ２００４の所定の領域に、Ｓ５００２で格納された設定情報が存在するかを判定するステップであり、存在する場合はＳ９００３に進み、そうでない場合は本フローチャートの処理を終了する。Ｓ９００３は、Ｓ５００４と同じ処理を行なう。Ｓ９００４は、Ｓ９００３の処理が正常に終了したかを判定するステップであり、正常に終了した場合はＳ９００５に進み、そうでなければＳ９００７に進む。Ｓ９００５は、設定情報の記憶が正常に完了したことを履歴に残すステップであり、ＲＡＭ２００２あるいはＨＤＤ２００４の所定の領域に履歴データを格納する。Ｓ９００６は、設定情報の記憶が正常に完了したことを送信元の複写機に通知するステップである。通知先のデータは、設定情報に含まれていてもよいし、設定情報に付随するデータとして受信してもよいし、予め通知先が登録されていてもよく、特に制限するものではない。本処理終了後本フローチャートの処理を完了する。Ｓ９００７は、設定情報の記憶が正常に完了しなかったことを履歴に残すステップであり、Ｓ９００５と同様にＲＡＭ２００２あるいはＨＤＤ２００４の所定の領域に履歴データを格納する。Ｓ９００８は、Ｓ９００６と同様に設定情報の記憶が正常に完了しなかったことを送信元の複写機に通知するステップである。本処理終了後本フローチャートの処理を完了する。Ｓ９００９は、通知されたイベントが一定時間ユーザの操作が行われなかったことを示す、オート・クリア・イベントか、省電力モードに移行するオート・スリープ・イベントか、あるいはオート・ログアウトかを判定するステップであり、前記イベントであると判定された場合はＳ９００２に進み、そうでなければ本フローチャートの処理を完了する。
【００４９】
なお、本実施例において、認証処理のログアウトの検知をＩＤキーとしているが、認証方式がＩＣカードや生体認証であってもよく、特にＩＤキー方式に限定するものではない。
【００５０】
図１０は、本実施例２のＳ８００６、Ｓ８００８、Ｓ８０１０、Ｓ９００５、Ｓ９００７において記録された履歴を操作部２０１２上に表示した画面である。Ｓ８００６、Ｓ９００５で格納された履歴は結果欄がＯＫ、且つ詳細コード欄は空白となることで識別ができる。Ｓ８００８、Ｓ９００７で格納された履歴は結果欄がＮＧとなり識別できる。Ｓ８０１０で格納された履歴は結果欄がＯＫ、詳細コード欄がＱＵＥＵＩＮＧとなり識別できる。
【００５１】
なお、本履歴情報は、Ｎｅｔｗｏｒｋ  Ｉ／Ｆ２０１０、通信手段３００１を介して所定のコマンドを送ることによりネットワーク上の複写機、あるいは端末から取得することが可能である。
【実施例３】
【００５２】
以下に実施例３を示す。
【００５３】
実施例３の基本的なシステム構成図、基本的なシステムブロック図、ソフトウエアブロック図およびユーザ操作判定手段の処理は、実施例１の図１、図２、図３および図４と同様であるので詳細は省略する。また、設定情報受信時のフローチャート、及び履歴表示画面は、実施例２の図８、図１０と同様であるので詳細は省略する。
【００５４】
図１１は、本実施例３のユーザ操作判定手段が、ユーザが操作中であっても設定情報の記憶が可能であると判定し、設定情報の記憶を行なうフローチャートＳ１１０００である。Ｓ１１０００は図外のソフトウエアモジュールから通知されたイベントを受信することにより実行される。Ｓ１１００１は、通知されたイベントが、操作部２０１２上のリセットキー、ソフトウェア電源キー、あるいは認証処理でログインしている状態から抜ける際のＩＤキーの押下であるかを判定するステップである。本ステップにより前記のキー入力であると判定された場合Ｓ１１００２に進み、そうでなければＳ１１０１１に進む。Ｓ１１００２は、ＲＡＭ２００２あるいはＨＤＤ２００４の所定の領域に、Ｓ５００２で格納された設定情報が存在するかを判定するステップであり、存在する場合はＳ１１００３に進み、そうでない場合は本フローチャートの処理を終了する。Ｓ１１００３は、設定情報の記憶を行なってよいかを操作部２０１２を操作中のユーザに確認するための確認画面を表示するステップである。Ｓ１１００４は、Ｓ１１００３の確認画面で設定情報の記憶を実行する指示が行なわれたかを判定するステップであり、実行が指示された場合はＳ１１００５に進み、そうでなければ本フローチャートの処理を終了する。Ｓ１１０５は、Ｓ５００４と同じ処理を行なう。Ｓ１１００６は、Ｓ１１００５の処理が正常に終了したかを判定するステップであり、正常に終了した場合はＳ１１００７に進み、そうでなければＳ１１００９に進む。Ｓ１１００７は、設定情報の記憶が正常に完了したことを履歴に残すステップであり、ＲＡＭ２００２あるいはＨＤＤ２００４の所定の領域に履歴データを格納する。Ｓ１１００８は、設定情報の記憶が正常に完了したことを送信元の複写機に通知するステップである。通知先のデータは、設定情報に含まれていてもよいし、設定情報に付随するデータとして受信してもよいし、予め通知先が登録されていてもよく、特に制限するものではない。本処理終了後本フローチャートの処理を完了する。Ｓ１１００９は、設定情報の記憶が正常に完了しなかったことを履歴に残すステップであり、Ｓ１１００７と同様にＲＡＭ２００２あるいはＨＤＤ２００４の所定の領域に履歴データを格納する。Ｓ１１０１０は、Ｓ１１００８と同様に設定情報の記憶が正常に完了しなかったことを送信元の複写機に通知するステップである。本処理終了後本フローチャートの処理を完了する。Ｓ１１０１１は、通知されたイベントが一定時間ユーザの操作が行われなかったことを示す、オート・クリア・イベントか、省電力モードに移行するオート・スリープ・イベントか、あるいはオート・ログアウトかを判定するステップであり、前記イベントであると判定された場合はＳ１１０１２に進み、そうでなければ本フローチャートの処理を完了する。Ｓ１１０１２は、Ｓ１１００２と同様にＲＡＭ２００２あるいはＨＤＤ２００４の所定の領域に、Ｓ５００２で格納された設定情報が存在するかを判定するステップであり、存在する場合はＳ１１００５に進み、そうでない場合は本フローチャートの処理を終了する。
【００５５】
なお、本実施例において、認証処理のログアウトの検知をＩＤキーとしているが、認証方式がＩＣカードや生体認証であってもよく、特にＩＤキー方式に限定するものではない。
【図面の簡単な説明】
【００５６】
【図１】実施例１、２、３における基本的なシステム構成を示す図である。
【図２】実施例１、２、３における複写機１００１、複写機１００２のシステムブロック図である。
【図３】実施例１、２、３における複写機１００１、複写機１００２のソフトウエアブロック図である。
【図４】本実施例１、２、３のユーザ操作判定フローチャートである。
【図５】本実施例１の設定情報受信時のフローチャートである。
【図６】本実施例１の設定情報の記憶の可否判定フローチャートである。
【図７】本実施例１の操作部２０１２上に表示される画面である。
【図８】本実施例２、３の設定情報受信時のフローチャートである。
【図９】本実施例２の設定情報の記憶の可否判定フローチャートである。
【図１０】本実施例２、３の履歴表示画面である。
【図１１】本実施例３の設定情報の記憶の可否判定フローチャートである。
【符号の説明】
【００５７】
１００１  複写機
１００２  複写機
１００３  ファクシミリ
１００４  データベース／メールサーバ
１００５  クライアントコンピュータ
１００６  プリンタ
１００７  ディレクトリサーバ
１００８  イーサネット（登録商標）
１００９  公衆回線
２０００  コントローラユニット
２００１  ＣＰＵ
２００２  ＲＡＭ
２００３  ＲＯＭ
２００４  ハードディスク
２００５  Ｉｍａｇｅ  Ｂｕｓ  Ｉ／Ｆ
２００６  操作部Ｉ／Ｆ
２００７  システムバス
２００８  画像バス
２０１０  Ｎｅｔｗｏｒｋ  Ｉ／Ｆ
２０１１  ＬＡＮ
２０１２  操作部
２０２０  デバイスＩ／Ｆ
２０３０  画像回転
２０４０  画像圧縮
２０５０  ＭＯＤＥＭ
２０５１  ＷＡＮ
２０６０  ＲＩＰ
２０７０  スキャナ
２０８０  スキャナ画像処理
２０９０  プリンタ画像処理
２０９５  プリンタ
２１００  ＩＣ  Ｃａｒｄ  Ｓｌｏｔ
２１１０  暗号・復号処理
【図２】
2006129166.tif 000003
【図３】
2006129166.tif 000004
【図４】
2006129166.tif 000005
【図５】
2006129166.tif 000006
【図６】
2006129166.tif 000007
【図７】
2006129166.tif 000008
【図８】
2006129166.tif 000009
【図９】
2006129166.tif 000010
【図１１】
2006129166.tif 000011
【図１】
2006129166.tif 000012
【図１０】
2006129166.tif 000013